(57)【要約】【課題】増減設後のＴＤＭ回線情報をあらかじめ記憶することなくＴＤＭ回線を増減設し得る装置を提供する。【解決手段】本発明のパケットエミュレーション装置は送信装置と受信装置とを含み、両装置がＴＤＭデータとＵＤＰポート番号および回線速度との対応関係を記憶し、送信装置がＵＤＰポート番号および前記回線速度を受信装置に送信し、受信装置は当該対応関係を基に、受信したＵＤＰポート番号および回線速度に対応するＴＤＭデータを判別し、判別した結果を基にＴＤＭ回線登録情報を更新し、更新したＴＤＭ回線登録情報に基づいてＴＤＭデータを時分割多重信号として送信する。【選択図】図１
2008278426.tif 000002
【特許請求の範囲】
【請求項１】
TDM回線を介して伝送された複数のTDMデータが多重化された時分割多重信号をパケット信号に変換し、これをパケット交換網に送信する送信装置と、前記パケット信号を前記パケット交換網から受信し、これを時分割多重信号に変換してTDM回線に送信する受信装置とを含み、前記送信装置と前記受信装置とが協働して、相互のTDM回線登録情報を基に、前記パケット交換網上で時分割多重信号のパケットエミュレーションを行うパケットエミュレーション装置であって、
前記TDMデータと前記パケット信号に付与されるUDPポート番号および前記TDM回線の回線速度との対応関係を記憶するポート番号記憶部を含み、
前記送信装置は前記UDPポート番号および前記回線速度を前記受信装置に送信し、前記受信装置は前記ポート番号記憶部に記憶される対応関係を基に、受信したUDPポート番号および回線速度に対応するTDMデータを判別し、判別した結果に基づいて前記TDM回線登録情報を更新し、更新したTDM回線登録情報に基づいて前記TDMデータを時分割多重信号として前記TDM回線に割り当てることを特徴とするパケットエミュレーション装置。
【請求項２】
前記ポート番号記憶部は、前記時分割多重信号に収容されるバーチャルコンテナの単位毎および前記バーチャルコンテナに収容されるチャネルの単位毎に前記TDMデータとUDPポート番号および回線速度との対応関係を記憶することを特徴とする請求項１記載のパケットエミュレーション装置。
【請求項３】
前記送信装置が、増設されるTDMデータを既設のTDMデータが収容されるパケット信号に収容することを特徴とする請求項１記載のパケットエミュレーション装置。
【請求項４】
前記送信装置が、継続して使用されるTDMデータと減設されるTDMデータとが共に収容されるパケット信号を、前記継続して使用されるTDMデータを収容するパケット信号と前記減設されるTDMデータを収容するパケット信号とに分離することを特徴とする請求項１記載のパケットエミュレーション装置。
【請求項５】
前記送信装置が、複数のチャネルをまとめて前記パケット信号に収容するときに、前記複数のチャネルを収容可能なバーチャルコンテナのUDPポート番号が付与されたパケット信号を送信することを特徴とする請求項１記載のパケットエミュレーション装置。
【発明の詳細な説明】
【技術分野】
【０００１】
本発明は、時分割多重伝送をパケット交換網上で擬似的に実現するパケットエミュレーション装置に関する。
【背景技術】
【０００２】
通信ネットワークにおいて、時分割多重伝送をパケット交換網上で擬似的に実現するパケットエミュレーション技術が知られている。パケットエミュレーション技術は、時分割多重（ＴＤＭ Time Division Multiplex）信号に多重化されるＴＤＭデータの各々を個別にパケット信号化することによって実現可能である。しかし、通常、パケット信号にはヘッダやトレイラなどの情報が付加されるため、ＴＤＭデータ毎にパケット信号化すると、ヘッダやトレイラなどの情報量が大きくなり、通信ネットワークにおける伝送効率が悪い。送信先が同一である複数のＴＤＭデータをまとめてパケット信号化すると、ＴＤＭデータ毎にパケット信号化するのに比較して、ヘッダやトレイラなどの情報量が減り、伝送効率が向上する。例えば、パケットエミュレーション技術に関する発明が特許文献１に開示されている。ここでは、送信先が同一である複数のＴＤＭデータをまとめてパケット信号化する装置について開示されている。
【特許文献１】特開２００５−２４４４７０号公報
【発明の開示】
【発明が解決しようとする課題】
【０００３】
パケット信号を送信する側のパケットエミュレーション装置とパケット信号を受信する側のパケットエミュレーション装置との間でパケットエミュレーション技術によりパケット交換網上で擬似的に時分割多重信号を伝送する回線をパケットエミュレーションされたＴＤＭ回線と呼ぶ（以降、これを単にＴＤＭ回線と呼ぶ）。通信サービスの運用上、ＴＤＭ回線の回線数を増減することがある。複数のＴＤＭデータをまとめて収容するパケット信号を送受信するときにＴＤＭ回線を増減設した場合、パケット信号に収容されるＴＤＭデータの数とサイズ、およびパケット信号内におけるＴＤＭデータの配列順が変更される。パケット信号を受信する側のパケットエミュレーション装置においては、装置内に記憶してあるＴＤＭ回線情報を基にパケット信号内に収容されるＴＤＭデータを読み出すため、ＴＤＭ回線を増減設する場合、パケット信号を受信する側のパケットエミュレーション装置内に増減設後のＴＤＭ回線情報をあらかじめ記憶しておかなければならないという問題点があった。また、増減設後のＴＤＭ回線情報をあらかじめ記憶せずに、ＴＤＭ回線を増減設すると、パケット信号内に収容されるＴＤＭデータを正常に読み出すことができないという問題点があった。
【０００４】
本発明は、上記した如き問題点に鑑みてなされたものであって、増減設後のＴＤＭ回線情報をあらかじめ記憶することなくＴＤＭ回線を増減設できる装置を提供することを目的とする。
【課題を解決するための手段】
【０００５】
本発明によるパケットエミュレーション装置は、ＴＤＭ回線を介して伝送された複数のＴＤＭデータが多重化された時分割多重信号をパケット信号に変換し、これをパケット交換網に送信する送信装置と、前記パケット信号を前記パケット交換網から受信し、これを時分割多重信号に変換してＴＤＭ回線に送信する受信装置とを含み、前記送信装置と前記受信装置とが協働して、相互のＴＤＭ回線登録情報を基に、前記パケット交換網上で時分割多重信号のパケットエミュレーションを行うパケットエミュレーション装置であって、前記ＴＤＭデータと前記パケット信号に付与されるＵＤＰポート番号および前記ＴＤＭ回線の回線速度との対応関係を記憶するポート番号記憶部を含み、前記送信装置は前記ＵＤＰポート番号および前記回線速度を前記受信装置に送信し、前記受信装置は前記ポート番号記憶部に記憶される対応関係を基に、受信したＵＤＰポート番号および回線速度に対応するＴＤＭデータを判別し、判別した結果に基づいて前記ＴＤＭ回線登録情報を更新し、更新したＴＤＭ回線登録情報に基づいて前記ＴＤＭデータを時分割多重信号として前記ＴＤＭ回線に割り当てることを特徴とするパケットエミュレーション装置。
【発明を実施するための最良の形態】
【０００６】
以下、本発明に係る実施例について説明する。
【実施例】
【０００７】
図１は、本発明であるパケットエミュレーション装置をパケット交換網及びＴＤＭ回線と共に表すブロック図である。
【０００８】
パケットエミュレーション装置は送信装置１００と受信装置２００とを含む。送信装置１００と受信装置２００はパケットエミュレーションにより、パケット交換網３００上で時分割多重伝送を擬似的に実現する。送信装置１００と受信装置２００はパケット交換網３００を介してパケット信号を交換する。送信装置１００は、ＴＤＭフレーム送受信部１２０がＴＤＭ回線５００から受信したＴＤＭ信号をパケット信号に変換し、これをＴＤＭ回線登録情報に基づいてパケット送受信部１１０からパケット交換網３００に送信する。受信装置２００においては、パケット送受信部２１０が送信装置１００から送信されたパケット信号をＴＤＭ回線登録情報に基づいて受信する。更に、受信装置２００は受信したパケット信号をＴＤＭ信号に変換し、これをＴＤＭ回線登録情報に基づいてＴＤＭフレーム送受信部２２０からＴＤＭ回線６００へＴＤＭ信号として送信する。反対に、受信装置２００はＴＤＭフレーム送受信部２２０がＴＤＭ回線６００から受信したＴＤＭ信号をパケット信号に変換し、これをＴＤＭ回線登録情報に基づいてパケット送受信部２１０からパケット交換網３００に送信する。送信装置１００においては、パケット送受信部１１０が受信装置２００から送信されたパケット信号をＴＤＭ回線登録情報に基づいて受信する。更に、送信装置１００は受信したパケット信号をＴＤＭ信号に変換し、これをＴＤＭ回線登録情報に基づいてＴＤＭフレーム送受信部１２０からＴＤＭ回線５００へＴＤＭ信号として送信する。
【０００９】
送信装置１００は、パケット送受信部１１０と、ＴＤＭフレーム送受信部１２０と、ポート番号送受信部１３０と、ポート番号記憶部１４０と、回線設定部１５０とを含む。受信装置２００は、パケット送受信部２１０と、ＴＤＭフレーム送受信部２２０と、ポート番号送受信部２３０と、ポート番号記憶部２４０と、回線設定部２５０とを含む。パケット送受信部１１０およびパケット送受信部２１０は、ＴＤＭ回線登録情報に基づいてパケット信号をパケット交換網３００から受信する。また、パケット送受信部１１０およびパケット送受信部２１０は、ＴＤＭ回線登録情報に基づいてパケット信号をパケット交換網３００に送信する。ＴＤＭフレーム送受信部１２０はＴＤＭ回線登録情報に基づいてＴＤＭ回線５００からＴＤＭ信号を受信する。また、ＴＤＭフレーム送受信部１２０はＴＤＭ回線登録情報に基づいてＴＤＭ回線５００へＴＤＭ信号を送信する。同様に、ＴＤＭフレーム送受信部２２０は、ＴＤＭ回線登録情報に基づいてＴＤＭ回線６００からＴＤＭ信号を受信する。また、ＴＤＭフレーム送受信部２２０はＴＤＭ回線登録情報に基づいてＴＤＭ回線６００へＴＤＭ信号を送信する。ポート番号送受信部１３０およびポート番号送受信部２３０は、パケット送受信部１１０およびパケット送受信部２１０を介してパケット交換網３００へＵＤＰポート番号およびＴＤＭ回線の速度情報を送信する。また、ポート番号送受信部１３０およびポート番号送受信部２３０は、パケット交換網３００からパケット送受信部１１０及びパケット送受信部２１０を介してＵＤＰポート番号およびＴＤＭ回線の速度情報を受信する。ポート番号記憶部２４０は、ＵＤＰポート番号とＴＤＭデータの種類との対応関係を記憶する。回線設定部１５０は、ＴＤＭ回線登録情報およびＴＤＭ回線の回線速度を記憶し、ポート番号送受信部１３０から与えられたＵＤＰポート番号およびＴＤＭ回線の速度情報とポート番号記憶部１４０に記憶される対応関係とを基にＴＤＭ回線登録情報およびＴＤＭ回線の回線速度を更新する。同様に、回線設定部２５０は、ＴＤＭ回線登録情報およびＴＤＭ回線の回線速度を記憶し、ポート番号送受信部２３０から与えられたＵＤＰポート番号およびＴＤＭ回線の速度情報とポート番号記憶部２４０に記憶される対応関係とを基にＴＤＭ回線登録情報およびＴＤＭ回線の回線速度を更新する。
【００１０】
表１〜表３は、ＳＤＨ（Synchronous Digital Hierarchy）やＳＯＮＥＴ（Synchronous Optical Network）の規格に準拠したバーチャルコンテナとトランスポート層のプロトコルであるＵＤＰ(User Datagram Protocol)のポート番号との対応関係の例を表す表である。表中の「ＶＣ」がバーチャルコンテナを、「ポート番号」がポート番号を表す。ＳＴＭ(Synchronous Transport Module)のＳＴＭ−１にマッピング可能なＶＣ−３のバーチャルコンテナをＶＣ３２＃１、ＶＣ３２＃２、ＶＣ３２＃３としたときの例が表１に示される。ここでは、例えば、ＶＣ３２＃１がポート番号１０３２に対応している。ＳＴＭ−１にマッピング可能なＶＣ−２のバーチャルコンテナをＶＣ２１＃１１１〜ＶＣ２１＃１７１、ＶＣ２１＃２１１〜ＶＣ２１＃２７１、ＶＣ２１＃３１１〜ＶＣ２１＃３７１としたときの例が表２に示される。ＳＴＭ−１にマッピング可能なＶＣ−１１のバーチャルコンテナをＶＣ１１＃１１１〜ＶＣ１１＃１７４、ＶＣ１１＃２１１〜ＶＣ１１＃２７４、ＶＣ１１＃３１１〜ＶＣ１１＃３７４としたときのＶＣ１１＃１１１〜ＶＣ１１＃１７４の例が表３に示される。
【００１１】
【表１】
2008278426.tif 000003
【００１２】
【表２】
2008278426.tif 000004
【００１３】
【表３】
2008278426.tif 000005
【００１４】
表４は、ＶＣ１１＃１１１のバーチャルコンテナに収容可能なＴＤＭデータをＣＨ１＃１１１〜ＣＨ２４＃１１１としたときのＴＤＭデータとＵＤＰポート番号との対応関係の例を表す表である。ポート番号記憶部１４０およびポート番号記憶部２４０は、それぞれ、表１〜表４に示される対応関係をあらかじめ記憶している。
【００１５】
【表４】
2008278426.tif 000006
【００１６】
本実施例においては、ポート番号送受信部１３０およびポート番号送受信部２３０はＴＤＭ回線の速度情報を長さの情報として送信する。ここでは、回線速度６４Ｋｂｐｓを長さ「１」とし、以降、回線速度１２８Ｋｂｐｓを長さ「２」、回線速度１９２Ｋｂｐｓを長さ「３」、・・・回線速度３８４Ｋｂｐｓを長さ「６」とする。
【００１７】
図２は、ＴＤＭ回線を増設するときの送信装置１００および受信装置２００の処理とポート番号、回線速度およびパケット信号の送受信とを表すシーケンス図である。ここでは、増設されるＴＤＭ回線に伝送されるＴＤＭデータがＣＨ１＃ＶＣ１１１であるとする。また、ＣＨ１＃ＶＣ１１１の回線速度が６４Ｋｂｐｓであるとする。以降、図２を参照しつつ、ＴＤＭ回線増設時における送信装置１００および受信装置２００の処理とポート番号、回線速度およびパケット信号の送受信について説明する。
【００１８】
先ず、送信装置１００において、回線設定部１５０がＣＨ１＃ＶＣ１１１を登録する（Ｓ２０１）。次に、ポート番号送受信部１３０が、ポート番号記憶部１４０に記憶されるＴＤＭデータとＵＤＰポート番号との対応関係を基に、ＣＨ１＃ＶＣ１１１に対応するポート番号１１６０および回線速度６４Ｋｂｐｓに対応する長さ情報「１」としてパケット送受信部１１０に送信し、パケット送受信部１１０は、これをパケット交換網３００を介して受信装置２００に送信する（Ｓ２０２）。
【００１９】
ポート番号送受信部２３０は、パケット送受信部２１０を介して送信装置１００から送信されたポート番号１１６０および長さ情報「１」を受信し、これを回線設定部２５０に与える。回線設定部２５０は与えられたポート番号１１６０および長さ情報「１」とポート番号記憶部２４０に記憶されるＴＤＭデータとＵＤＰポート番号との対応関係を基に、ＣＨ１＃ＶＣ１１１と回線速度６４Ｋｂｐｓを登録する（Ｓ２０３）。続いて、ポート番号送受信部２３０は、登録したＴＤＭデータとＵＤＰポート番号との対応関係を基に、ポート番号１１６０および長さ情報「１」としてパケット送受信部２１０に送信し、パケット送受信部２１０は、これをパケット交換網３００を介して送信装置１００に送信する（Ｓ２０４）。送信装置１００および受信装置２００は、両装置間で、パケット信号を正常に交換できれば（Ｓ２０５）、ＴＤＭ回線の増設設定を完了する。ＴＤＭフレーム送受信部２２０は、増設設定後のＴＤＭ回線登録情報に基づいてＴＤＭ回線６００へＴＤＭ信号を送信する。
【００２０】
図３は、ＴＤＭ回線増設後にＴＤＭ回線をパケット信号に多重化するときの送信装置１００および受信装置２００の処理とポート番号、回線速度およびパケット信号の送受信とを表すシーケンス図である。ここでは、送信装置１００および受信装置２００が、両装置間で、ＣＨ１＃ＶＣ１１１を収容したパケット信号およびＣＨ２＃ＶＣ１１１を収容したパケット信号を正常に交換できる状態にあるとする（Ｓ３０１、Ｓ３０２）。また、ＣＨ１＃ＶＣ１１１の回線速度が６４Ｋｂｐｓ、ＣＨ２＃ＶＣ１１１の回線速度が１２８Ｋｂｐｓであるとする。以降、図３を参照しつつ、ＴＤＭ回線増設後にＴＤＭ回線をパケット信号に多重化するときの送信装置１００および受信装置２００の処理とポート番号、回線速度、パケット信号の送受信について説明する。
【００２１】
先ず、送信装置１００において、回線設定部１５０がＣＨ１＃ＶＣ１１１とＣＨ２＃ＶＣ１１１とを同一のパケット信号に収容する設定、すなわち、多重化設定を行う（Ｓ３０３）。このときのポート番号はＣＨ１＃ＶＣ１１１とＣＨ２＃ＶＣ１１１とを収容可能なＶＣ１１＃１１１に対応するポート番号１０６４である。また、このときの回線速度を表す長さ情報は、ＣＨ１＃ＶＣ１１１の回線速度６４ＫｂｐｓとＣＨ２＃ＶＣ１１１の回線速度１２８Ｋｂｐｓとを加算した回線速度１９２Ｋｂｐｓに対応する長さ情報「３」となる。次に、ポート番号送受信部１３０が、ポート番号記憶部１４０に記憶されるＴＤＭデータとＵＤＰポート番号との対応関係を基に、ＶＣ１１＃１１１に対応するポート番号１０６４および回線速度１９２Ｋｂｐｓに対応する長さ情報「３」としてパケット送受信部１１０に送信し、パケット送受信部１１０は、これをパケット交換網３００を介して受信装置２００に送信する（Ｓ３０４）。
【００２２】
ポート番号送受信部２３０は、パケット送受信部２１０を介して送信装置１００から送信されたポート番号１０６４および長さ情報「３」を受信し、これを回線設定部２５０に与える。回線設定部２５０は受信したパケット信号に収容されるＴＤＭデータが多重されたＵＤＰポート番号１０６４のデータと分離したＵＤＰポート番号１１６０、１１６１のデータとを比較して正常に受信できているかを確認する（Ｓ３０５）。正常に受信できていれば、回線設定部２５０は与えられたポート番号１０６４および長さ情報「３」とポート番号記憶部２４０に記憶されるＴＤＭデータとＵＤＰポート番号との対応関係を基に、ＣＨ１＃ＶＣ１１１とＣＨ２＃ＶＣ１１１とを同一のパケット信号に収容する設定、すなわち、多重化設定を行い、ＶＣ１１＃１１１と回線速度１９２Ｋｂｐｓを登録する（Ｓ３０６）。続いて、ポート番号送受信部２３０は、登録されたＴＤＭデータとＵＤＰポート番号との対応関係を基に、ポート番号１０６４および長さ情報「３」としてパケット送受信部２１０に送信し、パケット送受信部２１０は、これをパケット交換網３００を介して送信装置１００に送信する（Ｓ３０７）。送信装置１００は受信したパケット信号に収容されるＴＤＭデータが多重されたＵＤＰポート番号１０６４のデータと分離したＵＤＰポート番号１１６０、１１６１のデータとを比較して正常に受信できているかを確認する（Ｓ３０８）。正常に受信できていれば、送信装置１００および受信装置２００は、ＣＨ１＃ＶＣ１１１を収容したパケット信号およびＣＨ２＃ＶＣ１１１を収容したパケット信号の送受信を停止して（Ｓ３０９、Ｓ３１０）、多重化設定を完了する。停止手順としては送信装置１００から受信装置２００へのパケット信号の送信を停止し、受信装置２００は送信装置１００からのパケット信号の送信が停止したのを確認してから、受信装置２００から送信装置１００へのパケット信号の送信を停止する。ＴＤＭフレーム送受信部２２０は、多重化設定後のＴＤＭ回線登録情報に基づいてＴＤＭ回線６００へＴＤＭ信号を送信する。
【００２３】
図４は、ＴＤＭ回線を減設するときの送信装置１００および受信装置２００の処理とポート番号、回線速度およびパケット信号の送受信とを表すシーケンス図である。ここでは、送信装置１００と受信装置２００が、両装置間で、ＣＨ１＃ＶＣ１１１を収容したパケット信号、ＣＨ２＃ＶＣ１１１を収容したパケット信号およびＣＨ４＃ＶＣ１１１を収容したパケット信号をそれぞれ正常に交換できる状態にあるとする（Ｓ４０１、Ｓ４０２、Ｓ４０３）。ＣＨ１＃ＶＣ１１１の回線速度が６４Ｋｂｐｓ、ＣＨ２＃ＶＣ１１１の回線速度が１２８Ｋｂｐｓ、ＣＨ４＃ＶＣ１１１の回線速度が１９２Ｋｂｐｓであるとする。また、減設されるＴＤＭ回線に伝送されるＴＤＭデータがＣＨ２＃ＶＣ１１１であるとする。以降、図４を参照しつつ、ＴＤＭ回線減設時における送信装置１００および受信装置２００の処理とポート番号、回線速度およびパケット信号の送受信について説明する。
【００２４】
先ず、送信装置１００において、回線設定部１５０がＣＨ２＃ＶＣ１１１の登録を抹消する（Ｓ４０４）。次に、パケット送受信部１１０は、登録を抹消された情報を基に、ＣＨ２＃ＶＣ１１１を収容したパケット信号の送信を停止する（Ｓ４０６）。なお、この時点においては、ＣＨ１＃ＶＣ１１１を収容したパケット信号およびＣＨ４＃ＶＣ１１１を収容したパケット信号は、送信装置１００と受信装置２００の間で送受信されている（Ｓ４０５，Ｓ４０７）。また、この時点においては、受信装置２００は、ＣＨ２＃ＶＣ１１１を収容したパケット信号を送信している（Ｓ４０８）。
【００２５】
ポート番号送受信部２３０は、送信装置１００から送信されたポート番号１１６１および長さ情報「２」を受信し、これを回線設定部２５０に与える。なお、この時点においても、ＣＨ１＃ＶＣ１１１を収容したパケット信号およびＣＨ４＃ＶＣ１１１を収容したパケット信号は、送信装置１００と受信装置２００の間で送受信されている（Ｓ４０９，Ｓ４１０）。回線設定部２５０は与えられたポート番号１１６１および長さ情報「２」とポート番号記憶部２４０に記憶されるＴＤＭデータとＵＤＰポート番号との対応関係を基に、ＣＨ２＃ＶＣ１１１の登録を抹消する（Ｓ４１１）。これと同時に、パケット送受信部２１０は、登録を抹消された情報を基に、ＣＨ２＃ＶＣ１１１を収容したパケット信号の送信を停止する（Ｓ４１２）。上記した処理で、送信装置１００および受信装置２００の両装置はＣＨ２＃ＶＣ１１１を収容したパケット信号の送信を停止しており、減設設定が完了する。ＴＤＭフレーム送受信部２２０は、減設設定後のＴＤＭ回線登録情報に基づいてＴＤＭ回線６００へＴＤＭ信号を送信する。
【００２６】
図５は、複数のＴＤＭ回線がパケット信号に多重化されている場合にＴＤＭ回線を減設するときの送信装置１００および受信装置２００の処理とポート番号、回線速度およびパケット信号の送受信とを表すシーケンス図である。ここでは、送信装置１００および受信装置２００が、両装置間で、ＣＨ１＃ＶＣ１１１とＣＨ２＃ＶＣ１１１とＣＨ４＃ＶＣ１１１とを収容したパケット信号を正常に交換できる状態にあるとする（Ｓ５０１）。また、ＣＨ１＃ＶＣ１１１の回線速度が６４Ｋｂｐｓ、ＣＨ２＃ＶＣ１１１の回線速度が１２８Ｋｂｐｓ、ＣＨ４＃ＶＣ１１１の回線速度が１９２Ｋｂｐｓであるとする。このときのポート番号はＣＨ１＃ＶＣ１１１とＣＨ２＃ＶＣ１１１とＣＨ４＃ＶＣ１１１とを収容可能なＶＣ１１＃１１１に対応するポート番号１０６４である。また、このときの回線速度を表す長さ情報は、ＣＨ１＃ＶＣ１１１の回線速度６４ＫｂｐｓとＣＨ２＃ＶＣ１１１の回線速度１２８ＫｂｐｓとＣＨ４＃ＶＣ１１１の回線速度１９２Ｋｂｐｓとを加算した回線速度３８４Ｋｂｐｓに対応する長さ情報「６」となる。また、減設されるＴＤＭ回線に伝送されるＴＤＭデータがＣＨ２＃ＶＣ１１１であるとする。
【００２７】
以降、図５を参照しつつ、複数のＴＤＭ回線がパケット信号に多重化されている場合にＴＤＭ回線を減設するときの送信装置１００および受信装置２００の処理とポート番号、回線速度およびパケット信号の送受信について説明する。先ず、送信装置１００において、回線設定部１５０がＣＨ２＃ＶＣ１１１の登録を抹消する（Ｓ５０２）。これと同時に、送信装置１００において、回線設定部１５０が、ＣＨ１＃ＶＣ１１１とＣＨ２＃ＶＣ１１１とＣＨ４＃ＶＣ１１１とを収容するパケット信号を、ＣＨ１＃ＶＣ１１１を収容するパケット信号とＣＨ２＃ＶＣ１１１を収容するパケット信号とＣＨ４＃ＶＣ１１１を収容するパケット信号とに分離する設定を行う。これと同時に、パケット送受信部１１０は、分離設定された情報を基に、ＣＨ１＃ＶＣ１１１を収容したパケット信号にＵＤＰポート番号１１６０を、ＣＨ２＃ＶＣ１１１を収容するパケット信号にＵＤＰポート番号１１６１を、ＣＨ４＃ＶＣ１１１を収容するパケット信号にＵＤＰポート番号１１６３をそれぞれ付与し、これらをパケット交換網３００を介して受信装置２００に送信する（Ｓ５０３、Ｓ５０４、Ｓ５０５）。このとき、多重されたＵＤＰポート番号１０６４の信号と分離したＵＤＰポート番号１１６０、１１６１、１１６３の信号は両方送受信が行われている。
【００２８】
ポート番号送受信部２３０は、パケット送受信部２１０を介して送信装置１００から送信されたポート番号１１６０および長さ情報「１」と、ポート番号１１６１および長さ情報「２」と、ポート番号１１６３および長さ情報「３」とを受信し、これを回線設定部２５０に与える。パケット送受信部２１０は、与えられたポート番号および回線速度の情報を基に、ＣＨ１＃ＶＣ１１１を収容したパケット信号にＵＤＰポート番号１１６０を、ＣＨ２＃ＶＣ１１１を収容するパケット信号にＵＤＰポート番号１１６１を、ＣＨ４＃ＶＣ１１１を収容するパケット信号にＵＤＰポート番号１１６３をそれぞれ付与し、これらをパケット交換網３００を介して送信装置１００に送信する（Ｓ５０３、Ｓ５０４、Ｓ５０５）。回線設定部２５０は受信したパケット信号に収容されるＴＤＭデータが多重されたＵＤＰポート番号１０６４のデータと分離したＵＤＰポート番号１１６０、１１６１、１１６３のデータとを比較して、正常に受信できているかを確認する（Ｓ５０６）。同様に、回線設定部１５０は受信したパケット信号に収容されるＴＤＭデータが正常に受信できているかを確認する（Ｓ５０７）。正常に受信できていれば、送信装置１００は、ＣＨ１＃ＶＣ１１１とＣＨ２＃ＶＣ１１１とＣＨ４＃ＶＣ１１１とを収容したパケット信号の送信を停止する（Ｓ５０８）。同様に、受信装置２００は、ＣＨ１＃ＶＣ１１１とＣＨ２＃ＶＣ１１１とＣＨ４＃ＶＣ１１１とを収容したパケット信号の送信を停止する（Ｓ５０８）。
【００２９】
次に、送信装置１００は、回線設定部１５０に登録された情報を基にＣＨ２＃ＶＣ１１１を収容したパケット信号の送信を停止する（Ｓ５１０）。なお、この時点においては、送信装置１００および受信装置２００は、両装置間で、ＣＨ１＃ＶＣ１１１を収容したパケット信号とＣＨ４＃ＶＣ１１１を収容したパケット信号とを交換している（Ｓ５０９、Ｓ５１１）。また、この時点においては、受信装置２００はＣＨ２＃ＶＣ１１１を収容したパケット信号をパケット交換網３００を介して送信装置１００に送信している（Ｓ５１２）。
【００３０】
続いて、送信装置１００において、回線設定部１５０がＣＨ１＃ＶＣ１１１とＣＨ４＃ＶＣ１１１とを同一のパケット信号に収容する設定、すなわち、多重化設定を行う（Ｓ５１３）。このときのポート番号はＣＨ１＃ＶＣ１１１とＣＨ４＃ＶＣ１１１とを収容可能なＶＣ１１＃１１１に対応するポート番号１０６４である。また、このときの回線速度を表す長さ情報は、ＣＨ１＃ＶＣ１１１の回線速度６４ＫｂｐｓとＣＨ４＃ＶＣ１１１の回線速度１９２Ｋｂｐｓとを加算した回線速度２５６Ｋｂｐｓに対応する長さ情報「４」となる。なお、受信装置２００においても同様に回線設定部２５０が多重化設定を行う。多重化設定後、送信装置１００および受信装置２００は、両装置間で、ＣＨ１＃ＶＣ１１１とＣＨ４＃ＶＣ１１１とを収容したパケット信号をパケット交換網３００を介して交換する（Ｓ５１４）。
【００３１】
次に、受信装置２００において、回線設定部２５０がＣＨ２＃ＶＣ１１１の登録を抹消する（Ｓ５１６）。これに続いて、受信装置２００は、回線設定部２５０に登録された情報を基にＣＨ２＃ＶＣ１１１を収容したパケット信号の送信を停止する（Ｓ５１７）。上記した処理で、送信装置１００および受信装置２００の両装置がＣＨ２＃ＶＣ１１１を収容したパケット信号の送信を停止しており減設設定が完了する。ＴＤＭフレーム送受信部２２０は、減設設定後のＴＤＭ回線登録情報に基づいてＴＤＭ回線６００へＴＤＭ信号を送信する。
【００３２】
上記した如く、本発明によれば、ＴＤＭデータにバーチャルコンテナ単位およびチャネル単位にポート番号を割り振り、ポート番号および回線速度をパケットエミュレーション装置間で送受信することにより、増減設後のＴＤＭ回線情報をあらかじめパケットエミュレーション装置に記憶することなく、ＴＤＭ回線を増減設することができる。
【００３３】
なお、本実施例においては、送信装置１００が先に増減設の設定を行い、ポート番号および回線速度を受信装置２００に送信するが、本発明においては、受信装置２００が先に増減設の設定を行い、ポート番号および回線速度を送信装置１００に送信しても良い。
【図面の簡単な説明】
【００３４】
【図１】パケットエミュレーション装置をパケット交換網及びＴＤＭ回線と共に表すブロック図である。
【図２】ＴＤＭ回線を増設するときのパケットエミュレーション装置の処理とポート番号、回線速度およびパケット信号の送受信とを表すシーケンス図である。
【図３】ＴＤＭ回線増設後にＴＤＭ回線をパケット信号に多重化するときのパケットエミュレーション装置の処理とポート番号、回線速度およびパケット信号の送受信とを表すシーケンス図である。
【図４】ＴＤＭ回線を減設するときのパケットエミュレーション装置の処理とポート番号、回線速度およびパケット信号の送受信とを表すシーケンス図である。
【図５】複数のＴＤＭ回線がパケット信号に多重化されている場合にＴＤＭ回線を減設するときのパケットエミュレーション装置の処理とポート番号、回線速度およびパケット信号の送受信とを表すシーケンス図である。
【符号の説明】
【００３５】
１００  送信装置
１１０  パケット送受信部
１２０  ＴＤＭフレーム送受信部
１３０  ポート番号送受信部
１４０  ポート番号記憶部
１５０  回線設定部
２００  受信装置
２１０  パケット送受信部
２２０  ＴＤＭフレーム送受信部
２３０  ポート番号送受信部
２４０  ポート番号記憶部
２５０  回線設定部
３００  パケット交換網
５００  ＴＤＭ回線
６００  ＴＤＭ回線
【図１】
2008278426.tif 000007
【図２】
2008278426.tif 000008
【図３】
2008278426.tif 000009
【図４】
2008278426.tif 000010
【図５】
2008278426.tif 000011